(57)【要約】      （修正有）【課題】市販品の歯磨き用具の他に、保持具として歯ブラシ立て、歯間ブラシ立て、デンタルフロス立てを内蔵し、水入れとコップ、及び上蓋支え用ストッパーを内蔵した携帯用歯磨き用具一式セットを提供する。【解決手段】市販品の歯ブラシ１２、歯間ブラシ１５、デンタルフロス９、ハミガキペースト１８を収納し、保持具として歯ブラシ立て２０、歯間ブラシ立て２１、デンタルフロス立て２２を内蔵し、水入れ２６、コップ２９、及び上蓋支え用ストッパー２３を内蔵した、これら歯磨き用具一式をケース箱６内に各コーナー８、１１、１４、１７、２５、２８を設けて、コンパクトに収納し、各物品が動かないよう各コーナーの台座に取り付けた、止めゴム１０、１３、１６、１９で固定する、これらを収納したケース箱６に、所々穴を開けその上から布張りした通気性の良い上蓋４を取り付け、携帯用として持ち運びし易くした。【選択図】図１
2016013395.tif 000002
【特許請求の範囲】
【請求項１】
使用者が家庭で行っているような歯磨き用具が収納でき、保持具として歯ブラシ立て、歯間ブラシ立て、デンタルフロス立てを内蔵し、口をゆすぐ水やコップを内蔵した、これら歯磨き用具一式をケース箱（６）内に、コンパクトに収納し、各物品が動かないよう固定する、これらを収納したケース箱（６）に、通気性の良い上蓋（４）を取り付け、携帯用として持ち運びし易くしたものを設けた「外出先でも、入れ歯でない人も、入れ歯の人も、いつでも、どこでも、家庭で行うような歯磨きができる携帯用歯磨き用具一式セット」。
【発明の詳細な説明】
【技術分野】
【０００１】本発明は、外出先でも、入れ歯でない人も、入れ歯の人も、いつでも、どこでも、家庭で行うような歯磨きができることを目的として、市販品の歯磨き用具の他に、保持具として歯ブラシ立て、歯間ブラシ立て、デンタルフロス立てを内蔵し、口をゆすぐ水を持っていくための水入れとコップ（必要時、入れ歯用として使用可）、及び上蓋支え用ストッパーを内蔵した、これら歯磨き用具一式を携帯用としてコンパクトに収納し、持ち運びし易くした「外出先でも、入れ歯でない人も、入れ歯の人も、いつでも、どこでも、家庭で行うような歯磨きができる携帯用歯磨き用具一式セット」に関するものである。
【背景技術】
【０００２】  従来、外出先でも、入れ歯でない人も、入れ歯の人も、いつでも、どこでも、家庭で行うような歯磨きができる携帯用歯磨き用具一式セットは無かった。
【先行技術文献】
【特許文献】
【０００３】
【特許文献１】特開  −  号公報
【発明の概要】
【発明が解決しようとする課題】
【０００４】これには次のような欠点があった。
（イ）従来、食後歯磨きの必要性は、口腔衛生上からも、ムシ歯予防上からも、ムシ歯になった時の歯の痛さ、大変さからも、皆必要であることは分かっているが、屋外で仕事をする人や、屋内で仕事をする人の場合でも、近くに口をゆすぐ水が無かったり、有っても公衆トイレの水のような場合は、歯磨きを敬遠することがあった。
（ロ）外出先でも、家庭で行うような歯磨きをするため、市販品の歯ブラシ、歯間ブラシ、デンタルフロス、ハミガキペーストを持ち、保持具として歯ブラシ立て、歯間ブラシ立て、デンタルフロス立てを持ち、口をゆすぐ水が入った水入れ、コップ、これら歯磨き用具一式を持ち運びすることは、かさばり携帯用としては難しかった。
本発明は以上のような欠点をなくすためになされたものである。
【課題を解決するための手段】
【０００５】市販品の歯ブラシ（１２）、歯間ブラシ（１５）、デンタルフロス（９）、ハミガキペースト（１８）を収納し、保持具として歯ブラシ立て（２０）、歯間ブラシ立て（２１）、デンタルフロス立て（２２）を内蔵し、口をゆすぐ水を持っていくための水入れ（２６）、コップ（２９）必要時、入れ歯用として使用可、及び上蓋支え用ストッパー（２３）を内蔵した、これら歯磨き用具一式をケース箱（６）内に各コーナー（８）（１１）（１４）（１７）（２５）（２８）を設けて、コンパクトに収納し、各物品が動かないよう各コーナーの台座に取り付けた、止めゴム（１０）（１３）（１６）（１９）で固定する、これらを収納したケース箱（６）に、所々穴を開けその上から布張りした通気性の良い上蓋（４）を取り付け、携帯用として持ち運びし易くしたものを設ける。
本発明は以上の構成よりなる「外出先でも、入れ歯でない人も、入れ歯の人も、いつでも、どこでも、家庭で行うような歯磨きができる携帯用歯磨き用具一式セット」である。
【発明の効果】
【０００６】（イ）「外出先でも、入れ歯でない人も、入れ歯の人も、いつでも、どこでも、家庭で行うような歯磨きができる携帯用歯磨き用具一式セット」には、水入れが付属しており、これに口をゆすぐ水を入れて持っていくことができるので、水は心配せずどこででも歯磨きができる。
（ロ）「外出先でも、入れ歯でない人も、入れ歯の人も、いつでも、どこでも、家庭で行うような歯磨きができる携帯用歯磨き用具一式セット」には、家庭で行うような歯磨きができるよう必要な用具一式を、各コーナーを設けコンパクトに収納しているので使用し易く、携帯用としても持ち運びし易い。
【図面の簡単な説明】
【０００７】
【図１】本発明の斜視図である。
【図２】本発明の水入れの斜視図である。
【図３】本発明のコップの斜視図である。
【発明を実施をするための形態】
【０００８】以下、発明を実施をするための形態について説明する。
市販品の歯ブラシ（１２）、歯間ブラシ（１５）、デンタルフロス（９）、ハミガキペースト（１８）を収納し、保持具として、歯ブラシ立て（２０）、歯間ブラシ立て（２１）、デンタルフロス立て（２２）を内蔵し、口をゆすぐ水を入れてもっていくための水入れ（２６）、コップ（２９）必要時、入れ歯用として使用可、及び上蓋支え用ストッパーを内蔵した、これら歯磨き用具一式をケース箱（６）内に、各コーナー（８）（１１）（１４）（１７）（２５）（２８）を設けてコンパクトに収納し、各物品が動かないよう各コーナーの台座に取り付けた、止めゴム（１０）（１３）（１６）（１９）で固定する、これらを収納したケース箱（６）に、所々穴を開けその上から布張りした通気性の良い上蓋（４）を取り付け携帯用として持ち運びし易くする。
本発明は以上のような構造である。
本発明を使用するときは、「外出先でも、入れ歯でない人も、入れ歯の人も、いつでも、どこでも、家庭で行うような歯磨きができる携帯用歯磨き用具一式セット」を歯磨きしたい場所へ持っていき歯磨きする。必要時、内蔵の上蓋支え用ストッパー（２３）で上蓋（４）を上げた状態で使用する。必要時、入れ歯は付属のコップ（２９）を使用する。口腔内をゆすぐ時は、付属の水入れ（２６）に入れて持ってきている水を、付属のコップに注ぎ使用する。歯磨きが終わったら使用した物を所定の位置へ収納し、所々穴を開けその上から布張りした通気性の良い上蓋（４）をして移動する。
【符号の説明】
【０００９】  １ホック
２通気穴
３布張り接着部分（通気穴を除く）
４上蓋
５ヒンジ部
６ケース箱
７各コーナー仕切板
８市販品用デンタルフロスコーナー
９市販品デンタルフロス
１０止めゴム
１１市販品用歯ブラシコーナー
１２市販品歯ブラシ
１３止めゴム
１４市販品用歯間ブラシコーナー
１５市販品歯間ブラシ
１６止めゴム
１７市販品用ハミガキペーストコーナー
１８市販品ハミガキペースト
１９止めゴム
２０歯ブラシ立て保持具
２１歯間ブラシ立て保持具
２２デンタルフロス立て保持具
２３上蓋支え用ストッパー（内蔵状態）
２４ホック
２５水入れコーナー
２６水入れ
２７水入れ用キャップ
２８コップコーナー
２９コップ
【図１】
2016013395.tif 000003
【図２】
2016013395.tif 000004
【図３】
2016013395.tif 000005